(57)【要約】【課題】用紙の浮上に要する時間を低減し、もって安定した給紙性能を実現することができる給紙装置及び画像形成システムを提供する。【解決手段】大容量給紙装置において、制御部は、一方の吹き付け口２４３の高さと他方の吹き付け口２４３の高さとが異なる第１動作モード、用紙押さえ部２４４の高さが用紙束の一方の側面側と当該用紙束の他方の側面側とで異なる第２動作モード、及び、一方の吹き付け口２４３から吹き付けられるエアの風量と他方の吹き付け口２４３から吹き付けられるエアの風量とが異なる第３動作モードのいずれか１つ又は２つ以上を組み合わせて、用紙Ｐを浮上させるためのエアを吹き付ける吹き付け制御を行っている。【選択図】図３
2020037474.tif 000002
【特許請求の範囲】
【請求項１】
用紙載置台に載置された用紙束から用紙を吸引して給紙する給紙装置において、
用紙束を隔てて配置され、用紙を浮上させるためのエアを用紙束の側面に向けて吹き付ける一対の吹き付け口と、
一方の吹き付け口の高さと他方の吹き付け口の高さとが異なる第１動作モードで、用紙を浮上させるためのエアを吹き付ける吹き付け制御を行う制御部と、
を有する給紙装置。
【請求項２】
用紙載置台に載置された用紙束から用紙を吸引して給紙する給紙装置において、
用紙束を隔てて配置され、用紙を浮上させるためのエアを用紙束の側面に向けて吹き付ける一対の吹き付け口と、
浮上する用紙の上方に当接することで、用紙の浮上高さを規制する用紙押さえ部と、
前記用紙押さえ部の高さが用紙束の一方の側面側と当該用紙束の他方の側面側とで異なる第２動作モードで、用紙を浮上させるためのエアを吹き付ける吹き付け制御を行う制御部と、
を有する給紙装置。
【請求項３】
用紙載置台に載置された用紙束から用紙を吸引して給紙する給紙装置において、
用紙束を隔てて配置され、用紙を浮上させるためのエアを用紙束の側面に向けて吹き付ける一対の吹き付け口と、
一方の吹き付け口から吹き付けられるエアの風量と他方の吹き付け口から吹き付けられるエアの風量とが異なる第３動作モードで、用紙を浮上させるためのエアを吹き付ける吹き付け制御を行う制御部と、
を有する給紙装置。
【請求項４】
浮上する用紙の上方に当接することで、用紙の浮上高さを規制する用紙押さえ部をさらに有し、
前記制御部は、前記第１動作モードに加え、前記用紙押さえ部の高さが用紙束の一方の側面側と当該用紙束の他方の側面側とで異なる第２動作モードで、前記吹き付け制御を行う
請求項１記載の給紙装置。
【請求項５】
前記制御部は、前記第１動作モードに加え、前記一方の吹き付け口から吹き付けられるエアの風量と前記他方の吹き付け口から吹き付けられるエアの風量とが異なる第３動作モードで、前記吹き付け制御を行う
請求項１記載の給紙装置。
【請求項６】
前記制御部は、前記第２動作モードに加え、前記一方の吹き付け口から吹き付けられるエアの風量と前記他方の吹き付け口から吹き付けられるエアの風量とが異なる第３動作モードで、前記吹き付け制御を行う
請求項２記載の給紙装置。
【請求項７】
浮上する用紙の上方に当接することで、用紙の浮上高さを規制する用紙押さえ部をさらに有し、
前記制御部は、前記第１動作モードに加え、前記用紙押さえ部の高さが用紙束の一方の側面側と当該用紙束の他方の側面側とで異なる第２動作モード、及び、前記一方の吹き付け口から吹き付けられるエアの風量と前記他方の吹き付け口から吹き付けられるエアの風量とが異なる第３動作モードで、前記吹き付け制御を行う
請求項１記載の給紙装置。
【請求項８】
前記吹き付け口に接続し、送風機から送風されたエアを前記吹き付け口に導くダクトをさらに有し、
前記ダクトは、上下方向に可動することで前記吹き付け口の高さを調整する
請求項１，４，５及び７のいずれかに記載の給紙装置。
【請求項９】
前記ダクトは、エアの風圧によって上下方向に可動する
請求項８記載の給紙装置。
【請求項１０】
前記ダクトの可動を規制して、前記吹き付け口の高さを調整するロック機構をさらに有する
請求項９記載の給紙装置。
【請求項１１】
前記用紙押さえ部は、前記吹き付け口の上方に設けられる
請求項２，４，６及び７のいずれかに記載の給紙装置。
【請求項１２】
前記用紙押さえ部の高さを調整する可動機構をさらに有する
請求項１１記載の給紙装置。
【請求項１３】
前記制御部は、
前記吹き付け制御における動作モードとして、前記一方の吹き付け口の高さと前記他方の吹き付け口の高さとが揃った通常動作モードをさらに有し、
用紙の情報及び用紙の浮上状態の一方又は両方に基づいて、前記通常動作モードと前記第１動作モードとを切り替える
請求項１記載の給紙装置。
【請求項１４】
前記第１動作モードは、前記一方の吹き付け口又は前記他方の吹き付け口の高さを、前記通常動作モードにおける高さよりも低くする
請求項１３記載の給紙装置。
【請求項１５】
前記制御部は、
前記吹き付け制御における動作モードとして、前記用紙押さえ部の高さが用紙束の一方の側面側と当該用紙束の他方の側面側とで揃った通常動作モードをさらに有し、
用紙の情報及び用紙の浮上状態の一方又は両方に基づいて、前記通常動作モードと前記第２動作モードとを切り替える
請求項２記載の給紙装置。
【請求項１６】
前記制御部は、
前記吹き付け制御における動作モードとして、前記一方の吹き付け口から吹き付けられるエアの風量と前記他方の吹き付け口から吹き付けられるエアの風量とが揃った通常動作モードをさらに有し、
用紙の情報及び用紙の浮上状態の一方又は両方に基づいて、前記通常動作モードと前記第３動作モードとを切り替える
請求項３記載の給紙装置。
【請求項１７】
前記制御部は、用紙を浮上させてから、用紙束の上方に位置する用紙吸引部が用紙を吸引するまでの時間に基づいて、動作モードを切り替える
請求項１３から１６のいずれかに記載の給紙装置。
【請求項１８】
前記制御部は、前記一方の吹き付け口から吹き付けられるエアの風量と前記他方の吹き付け口から吹き付けられるエアの風量とを異ならせる場合、エアの風量が多い方の前記吹き付け口の高さを、エアの風量が少ない方の前記吹き付け口の高さよりも低くする
請求項５又は７記載の給紙装置。
【請求項１９】
前記制御部は、前記一方の吹き付け口から吹き付けられるエアの風量と前記他方の吹き付け口から吹き付けられるエアの風量とを異ならせる場合、エアの風量が少ない方の前記用紙押さえ部の高さを、エアの風量が多い方の前記用紙押さえ部よりも低くする
請求項６又は７に記載の給紙装置。
【請求項２０】
請求項１から１９のいずれかに記載の給紙装置と、
前記給紙装置から給紙された用紙に画像を形成する画像形成装置と、
を有する画像形成システム。
【請求項２１】
用紙載置台に載置された用紙束から用紙を吸引して給紙する給紙装置と、
給紙装置から給紙された用紙に画像を形成する画像形成装置と、
前記給紙装置及び前記画像形成装置を制御する制御部と、を有し、
前記給紙装置は、
用紙束を隔てて配置され、用紙を浮上させるためのエアを用紙束の側面に向けて吹き付ける一対の吹き付け口を有し、
前記制御部は、
一方の吹き付け口の高さと他方の吹き付け口の高さとが異なる第１動作モードで、用紙を浮上させるためのエアを吹き付ける吹き付け制御を行う
画像形成システム。
【請求項２２】
用紙載置台に載置された用紙束から用紙を吸引して給紙する給紙装置と、
給紙装置から給紙された用紙に画像を形成する画像形成装置と、
前記給紙装置及び前記画像形成装置を制御する制御部と、を有し、
前記給紙装置は、
用紙束を隔てて配置され、用紙を浮上させるためのエアを用紙束の側面に向けて吹き付ける一対の吹き付け口と、
浮上する用紙の上方に当接することで、用紙の浮上高さを規制する用紙押さえ部と、を有し、
前記制御部は、
前記用紙押さえ部の高さが用紙束の一方の側面側と当該用紙束の他方の側面側とで異なる第２動作モードで、用紙を浮上させるためのエアを吹き付ける吹き付け制御を行う
画像形成システム。
【請求項２３】
用紙載置台に載置された用紙束から用紙を吸引して給紙する給紙装置と、
給紙装置から給紙された用紙に画像を形成する画像形成装置と、
前記給紙装置及び前記画像形成装置を制御する制御部と、を有し、
前記給紙装置は、
用紙束を隔てて配置され、用紙を浮上させるためのエアを用紙束の側面に向けて吹き付ける一対の吹き付け口を有し、
前記制御部は、
一方の吹き付け口から吹き付けられるエアの風量と他方の吹き付け口から吹き付けられるエアの風量とが異なる第３動作モードで、用紙を浮上させるためのエアを吹き付ける吹き付け制御を行う
画像形成システム。
【発明の詳細な説明】
【技術分野】
【０００１】
本発明は、給紙装置及び画像形成システムに関する。
【背景技術】
【０００２】
近年、画像形成を含む各種の処理を一連で行う画像形成システムが知られている。この画像形成システムは、ユーザーが必要とする仕様に応じて、一台以上の装置を直列的に並べて構成されている。画像形成システムを構成する装置としては、画像形成を行う画像形成装置の他、大容量の用紙を保有してこれを画像形成装置に給紙する給紙装置（大容量給紙装置）等が挙げられる。
【０００３】
給紙装置は、厚さ方向に積載された複数の用紙、すなわち、用紙束を載置する用紙載置台と、用紙を給紙する給紙部とを備えている。給紙部は、用紙載置台に載置された用紙束から用紙（最上位の用紙）を１枚ずつ給紙する。給紙部としては、用紙を吸引して給紙する構成が知られており、給紙装置は、用紙搬送方向に沿った用紙束の側面に、用紙を浮上させるためのエアを吹き付ける側面送風部を備えている。
【０００４】
この類の給紙装置にあっては、エアの吹き付けにより、最上位の用紙のみならず、２枚目以降の用紙も浮上してしまう。そのため、給紙部によって最上位の用紙が吸着されると、最上位の用紙から２枚目以降の用紙を捌いた上で、用紙の給紙が行われる。このような構成であるため、用紙の浮上に時間がかかってしまうと、生産性が低下してしまう。一方、生産性を確保しようとすると、用紙を捌く時間が十分に確保できず、重送が発生してしまう虞がある。また、用紙の浮上が困難な場合には、用紙の吸着が間に合わず、用紙を給紙することができない可能性もある。
【０００５】
そこで、例えば特許文献１には、用紙束の側面に吹き付けるエアの風量を増加させる手法が開示されている。
【先行技術文献】
【特許文献】
【０００６】
【特許文献１】特開２０１４−１０６１号公報
【発明の概要】
【発明が解決しようとする課題】
【０００７】
しかしながら、用紙束の側面に吹き付けるエアの風量は、送風機の構成に依存する。そのため、送風機の上限風量でも十分な浮上状態を得ることができない場合には、より高出力な送風機が必要となるという問題がある。
【０００８】
本発明はかかる事情に鑑みてなされたものであり、その目的は、用紙の浮上に要する時間を低減し、もって安定した給紙性能を実現することができる給紙装置及び画像形成システムを提供することである。
【課題を解決するための手段】
【０００９】
かかる課題を解決するために、第１の発明は、用紙載置台に載置された用紙束から用紙を吸引して給紙する給紙装置において、用紙束を隔てて配置され、用紙を浮上させるためのエアを用紙束の側面に向けて吹き付ける一対の吹き付け口と、一方の吹き付け口の高さと他方の吹き付け口の高さとが異なる第１動作モードで、用紙を浮上させるためのエアを吹き付ける吹き付け制御を行う制御部と、を有している。
【００１０】
また、第２の発明は、用紙載置台に載置された用紙束から用紙を吸引して給紙する給紙装置において、用紙束を隔てて配置され、用紙を浮上させるためのエアを用紙束の側面に向けて吹き付ける一対の吹き付け口と、浮上する用紙の上方に当接することで、用紙の浮上高さを規制する用紙押さえ部と、用紙押さえ部の高さが用紙束の一方の側面側と当該用紙束の他方の側面側とで異なる第２動作モードで、用紙を浮上させるためのエアを吹き付ける吹き付け制御を行う制御部と、を有している。
【００１１】
また、第３の発明は、用紙載置台に載置された用紙束から用紙を吸引して給紙する給紙装置において、用紙束を隔てて配置され、用紙を浮上させるためのエアを用紙束の側面に向けて吹き付ける一対の吹き付け口と、一方の吹き付け口から吹き付けられるエアの風量と他方の吹き付け口から吹き付けられるエアの風量とが異なる第３動作モードで、用紙を浮上させるためのエアを吹き付ける吹き付け制御を行う制御部と、を有している。
【００１２】
ここで、第１の発明は、浮上する用紙の上方に当接することで、用紙の浮上高さを規制する用紙押さえ部をさらに有し、制御部は、第１動作モードに加え、用紙押さえ部の高さが用紙束の一方の側面側と当該用紙束の他方の側面側とで異なる第２動作モードで、吹き付け制御を行うことが好ましい。
【００１３】
また、第１の発明において、制御部は、第１動作モードに加え、一方の吹き付け口から吹き付けられるエアの風量と他方の吹き付け口から吹き付けられるエアの風量とが異なる第３動作モードで、吹き付け制御を行うことが好ましい。
【００１４】
また、第２の発明において、制御部は、第２動作モードに加え、一方の吹き付け口から吹き付けられるエアの風量と他方の吹き付け口から吹き付けられるエアの風量とが異なる第３動作モードで、吹き付け制御を行うことが好ましい。
【００１５】
また、第１の発明は、浮上する用紙の上方に当接することで、用紙の浮上高さを規制する用紙押さえ部をさらに有し、制御部は、第１動作モードに加え、用紙押さえ部の高さが用紙束の一方の側面側と当該用紙束の他方の側面側とで異なる第２動作モード、及び、一方の吹き付け口から吹き付けられるエアの風量と他方の吹き付け口から吹き付けられるエアの風量とが異なる第３動作モードで、吹き付け制御を行うことが好ましい。
【００１６】
また、第１の発明は、吹き付け口に接続し、送風機から送風されたエアを吹き付け口に導くダクトをさらに有し、ダクトは、上下方向に可動することで吹き付け口の高さを調整することが好ましい。
【００１７】
この場合、第１の発明において、ダクトは、エアの風圧によって上下方向に可動することが好ましい。
【００１８】
また、第１の発明は、ダクトの可動を規制して、吹き付け口の高さを調整するロック機構をさらに有することが好ましい。
【００１９】
また、第２の発明において、用紙押さえ部は、吹き付け口の上方に設けられることが好ましい。
【００２０】
この場合、第２の発明は、用紙押さえ部の高さを調整する可動機構をさらに有することが好ましい。
【００２１】
また、第１の発明において、制御部は、吹き付け制御における動作モードとして、一方の吹き付け口の高さと他方の吹き付け口の高さとが揃った通常動作モードをさらに有し、用紙の情報及び用紙の浮上状態の一方又は両方に基づいて、通常動作モードと第１動作モードとを切り替えることが好ましい。
【００２２】
この場合、第１の発明において、第１動作モードは、一方の吹き付け口又は他方の吹き付け口の高さを、通常動作モードにおける高さよりも低くすることが好ましい。
【００２３】
また、第２の発明において、制御部は、吹き付け制御における動作モードとして、用紙押さえ部の高さが用紙束の一方の側面側と当該用紙束の他方の側面側とで揃った通常動作モードをさらに有し、用紙の情報及び用紙の浮上状態の一方又は両方に基づいて、通常動作モードと第２動作モードとを切り替えることが好ましい。
【００２４】
また、第３の発明において、制御部は、吹き付け制御における動作モードとして、一方の吹き付け口から吹き付けられるエアの風量と他方の吹き付け口から吹き付けられるエアの風量とが揃った通常動作モードをさらに有し、用紙の情報及び用紙の浮上状態の一方又は両方に基づいて、通常動作モードと第３動作モードとを切り替えることが好ましい。
【００２５】
また、第１から第３の発明において、制御部は、用紙を浮上させてから、用紙束の上方に位置する用紙吸引部が用紙を吸引するまでの時間に基づいて、動作モードを切り替えることが好ましい。
【００２６】
また、第１の発明において、制御部は、一方の吹き付け口から吹き付けられるエアの風量と他方の吹き付け口から吹き付けられるエアの風量とを異ならせる場合、エアの風量が多い方の吹き付け口の高さを、エアの風量が少ない方の吹き付け口の高さよりも低くすることが好ましい。
【００２７】
また、第１の発明において、制御部は、一方の吹き付け口から吹き付けられるエアの風量と他方の吹き付け口から吹き付けられるエアの風量とを異ならせる場合、エアの風量が少ない方の用紙押さえ部の高さを、エアの風量が多い方の用紙押さえ部よりも低くすることが好ましい。
【００２８】
また、第４の発明は、画像形成システムにおいて、第１から第３の発明に係る給紙装置と、給紙装置から給紙された用紙に画像を形成する画像形成装置と、を有する。
【００２９】
また、第５の発明は、画像形成システムにおいて、用紙載置台に載置された用紙束から用紙を吸引して給紙する給紙装置と、給紙装置から給紙された用紙に画像を形成する画像形成装置と、給紙装置及び画像形成装置を制御する制御部と、を有し、給紙装置は、用紙束を隔てて配置され、用紙を浮上させるためのエアを用紙束の側面に向けて吹き付ける一対の吹き付け口を有し、制御部は、一方の吹き付け口の高さと他方の吹き付け口の高さとが異なる第１動作モードで、用紙を浮上させるためのエアを吹き付ける吹き付け制御を行う。
【００３０】
また、第６の発明は、画像形成システムにおいて、用紙載置台に載置された用紙束から用紙を吸引して給紙する給紙装置と、給紙装置から給紙された用紙に画像を形成する画像形成装置と、給紙装置及び画像形成装置を制御する制御部と、を有し、給紙装置は、用紙束を隔てて配置され、用紙を浮上させるためのエアを用紙束の側面に向けて吹き付ける一対の吹き付け口と、浮上する用紙の上方に当接することで、用紙の浮上高さを規制する用紙押さえ部と、を有し、制御部は、用紙押さえ部の高さが用紙束の一方の側面側と当該用紙束の他方の側面側とで異なる第２動作モードで、用紙を浮上させるためのエアを吹き付ける吹き付け制御を行う。
【００３１】
また、第７の発明は、画像形成システムにおいて、用紙載置台に載置された用紙束から用紙を吸引して給紙する給紙装置と、給紙装置から給紙された用紙に画像を形成する画像形成装置と、給紙装置及び画像形成装置を制御する制御部と、を有し、給紙装置は、用紙束を隔てて配置され、用紙を浮上させるためのエアを用紙束の側面に向けて吹き付ける一対の吹き付け口を有し、制御部は、一方の吹き付け口から吹き付けられるエアの風量と他方の吹き付け口から吹き付けられるエアの風量とが異なる第３動作モードで、用紙を浮上させるためのエアを吹き付ける吹き付け制御を行う。
【発明の効果】
【００３２】
本発明に係る給紙装置及び画像形成システムによれば、用紙の浮上に要する時間を低減することができるので、安定した給紙性能を実現することができる。
【図面の簡単な説明】
【００３３】
【図１】本実施形態に係る画像形成システムの構成を模式的に示す正面図
【図２】給紙ユニットの構成を模式的に示す正面図
【図３】側端送風部の構成を模式的に示す図
【図４】側端送風部の詳細を示す説明図
【図５】通常動作モードの説明図
【図６】第１動作モードの説明図
【図７】第２動作モードの説明図
【図８】第３動作モードの説明図
【図９】給紙処理の流れを示すフローチャート
【図１０】動作モードと用紙の情報との関係を規定したテーブルの説明図
【図１１】用紙押さえ部の変形例の説明図
【発明を実施するための形態】
【００３４】
図１は、本実施形態に係る画像形成システムの構成を模式的に示す正面図である。画像形成システムは、用紙Ｐに対して画像形成を含む所定の処理を行うシステムであり、複数の装置から構成されている。本実施形態の画像形成システムは、画像形成装置１００と、大容量給紙装置２００とで構成されている。これらの装置は、用紙搬送方向の上流側から下流側にかけて、大容量給紙装置２００、画像形成装置１００の順番で配列されているが、個々の装置が同一の筐体内に収容されるものであってもよい。
【００３５】
画像形成装置１００は、大容量給紙装置２００から給紙された用紙Ｐ、又は、自己が保有する用紙Ｐに画像を形成する装置である。画像形成装置１００は、例えば電子写真方式の画像形成装置であり、複数の感光体を一本の中間転写ベルトに対面させて縦方向に配列することによりフルカラーの画像を形成する、いわゆる、タンデム型カラー画像形成装置である。画像形成装置１００は、原稿読取装置ＳＣと、４組の画像形成部１０Ｙ，１０Ｍ，１０Ｃ，１０Ｋと、定着装置４０と、制御部５０とを主体に構成されており、これらの要素が一つの筐体内に収容されている。
【００３６】
原稿読取装置ＳＣは、露光装置により原稿を走査露光し、その反射光をラインイメージセンサーにより読み取り、これにより、画像信号を得る。この画像信号は、Ａ／Ｄ変換、シェーディング補正、圧縮等の処理が施された後、画像データとして制御部５０に入力される。なお、制御部５０に入力される画像データとしては、原稿読取装置ＳＣで読み取ったものに限らず、例えば、画像形成装置１００に接続されたパーソナルコンピューター、他の画像形成装置から受信したもの、又は半導体メモリといった可搬性の記録媒体から読み込んだものであってもよい。
【００３７】
４組の画像形成部１０Ｙ，１０Ｍ，１０Ｃ，１０Ｋは、イエロー（Ｙ）の画像を形成する画像形成部１０Ｙ、マゼンタ（Ｍ）の画像を形成する画像形成部１０Ｍ、シアン（Ｃ）の画像を形成する画像形成部１０Ｃ及びブラック（Ｋ）の画像を形成する画像形成部１０Ｋで構成されている。
【００３８】
画像形成部１０Ｙは、感光体ドラム１１Ｙ並びにその周辺に配置された帯電部、光書込部、現像装置及びドラムクリーナーで構成されている。感光体ドラム１１Ｙは帯電部によりその表面が一様に帯電させられており、光書込部による走査露光により、感光体ドラム１１Ｙには潜像が形成される。現像装置は、トナーで現像することによって感光体ドラム１１Ｙ上の潜像を顕像化する。これにより、感光体ドラム１１Ｙ上には、イエローに対応する画像（トナー画像）が形成される。感光体ドラム１１Ｙ上に形成された画像は、１次転写ローラーにより、無端ベルトである中間転写ベルト１５上の所定位置へと逐次転写される。
【００３９】
残余の画像形成部１０Ｍ，１０Ｃ，１０Ｋは、感光体ドラム１１Ｍ，１１Ｃ，１１Ｋ、並びにその周辺に配置された帯電部、光書込部、現像装置及びドラムクリーナーで構成されており、これらの詳細は、画像形成部１０Ｙのそれと同様である。
【００４０】
中間転写ベルト１５上に転写された画像は、用紙搬送部２０により所定のタイミングで搬送される用紙Ｐに対して、２次転写ローラー１６により転写される。２次転写ローラー１６は中間転写ベルト１５と圧接して配置されており、２次転写ローラー１６と中間転写ベルト１５との間に転写ニップが形成される。
【００４１】
用紙搬送部２０は、用紙トレイ２１から給紙ローラー２２によって給紙された用紙Ｐ、又は、大容量給紙装置２００から給紙された用紙Ｐを搬送経路に従って搬送する。用紙搬送部２０には、搬送ローラー、搬送ガイド等が含まれる。また、後述する排紙ローラー２３、切替ゲート２４も用紙搬送部２０の一部を構成する。
【００４２】
定着装置４０は、画像が転写された用紙Ｐに定着処理を施す装置である。定着装置４０は、例えば、互いに圧接されて定着ニップを形成する一対の定着ローラーと、当該定着ローラーの一方を加熱するヒーターとで構成されている。この定着装置４０は、用紙Ｐが定着ニップを通過する間に、一対の定着ローラーによる加圧と当該定着ローラーの有する熱とを用いて、転写された画像を用紙Ｐに定着させる。定着処理が施された用紙Ｐは、排紙ローラー２３により機外へと排出される。
【００４３】
用紙Ｐの裏面にも画像形成を行う場合、用紙表面に対する画像形成を終えた用紙Ｐは、切替ゲート２４により、再給紙搬送経路に搬送される。再給紙搬送経路では、搬送された用紙Ｐの後端が反転ローラーにより挟持された後、逆送することによって用紙Ｐの表裏が反転させられる。表裏が反転させられた用紙Ｐは、複数の搬送ローラーによって搬送され、用紙裏面に対する画像形成に供するために、２次転写ローラー１６よりも上流側の搬送経路に合流させられる。
【００４４】
制御部５０は、画像形成装置１００の動作を制御する。制御部５０としては、ＣＰＵ、ＲＯＭ、ＲＡＭ、Ｉ／Ｏインターフェースを主体に構成されたマイクロコンピュータを用いることができる。ＣＰＵは、各種プログラムを実行することにより、画像形成装置１００の動作を制御する（プロセッサー）。ＲＯＭは、ＣＰＵが実行する各種プログラムを、当該ＣＰＵが読み取り可能なプログラムコードの形態で格納する。また、ＲＯＭは、プログラムの実行に必要となるデータを記憶する。ＲＡＭは、作業用の記憶領域となるメモリである。ＲＯＭに格納されたプログラム及びデータは、ＣＰＵにより読み出されると、ＲＡＭ上に展開される。そして、ＣＰＵは、ＲＡＭ上に展開したプログラム及びデータに基づいて、各種の処理を行う。
【００４５】
操作パネル６０は、ディスプレイ上に表示される情報に従い、所望の情報を入力することが可能な入力部である。操作パネル６０としては、タッチパネル方式等を採用することができる。ユーザーは、操作パネル６０に対する操作を通じて、ジョブの内容（用紙Ｐに関する情報（用紙サイズ、紙種等）、画像の濃度や倍率等）を設定することができる。設定された情報は、制御部５０によって取得される。また、操作パネル６０は、制御部５０に制御されることにより、ユーザーに種々の情報を表示する表示部としても機能する。
【００４６】
大容量給紙装置２００は、用紙Ｐを給紙する給紙装置である。大容量給紙装置２００は、１つ以上の給紙ユニット２１０、例えば上段、中段及び下段に配置された３つの給紙ユニット２１０と、制御部２５０とを備えており、これらの要素が一つの筐体内に収容されている。
【００４７】
図２は、給紙ユニット２１０の構成を模式的に示す正面図である。給紙ユニット２１０は、複数の用紙Ｐ（用紙束）を収容し、用紙束から用紙Ｐ（最上位の用紙Ｐ）を１枚ずつ給紙する。給紙ユニット２１０は、用紙載置台２１１、先端規制部材２１２、後端規制部材２１３、側端規制部材２１４、給紙部２２０、先端送風部２３０及び側端送風部２４０を主体に構成されている。給紙ユニット２１０には、ガイドレール２１５が設けられており、給紙ユニット２１０は、大容量給紙装置２００の筐体から引き出し可能に構成されている。
【００４８】
給紙ユニット２１０において、用紙束は用紙載置台２１１に載置されている。用紙載置台２１１には、電動式の昇降機構が設けられており、上下方向に沿って昇降可能に構成されている。
【００４９】
先端規制部材２１２は、用紙載置台２１１に載置された個々の用紙Ｐの先端、すなわち、用紙搬送方向の下流側に位置付けられる用紙束の面（先端面）を規制する。
【００５０】
後端規制部材２１３は、用紙載置台２１１に載置された個々の用紙Ｐの後端、すなわち、用紙搬送方向の上流側に位置付けられる用紙束の面（後端面）を規制する。後端規制部材２１３は、用紙搬送方向に沿って移動可能に構成されており、用紙サイズに応じて、その位置が調整される。
【００５１】
後端規制部材２１３には、用紙載置台２１１上に載置された用紙束の高さを検出する高さセンサー（図示せず）が配置されている。制御部２５０は、高さセンサーの信号に基づいて昇降機構を駆動させ、用紙載置台２１１の昇降を制御する。この制御により、用紙載置台２１１上に載置された用紙束の最上位の用紙Ｐが一定の高さに維持される。
【００５２】
側端規制部材２１４は、用紙載置台２１１に載置された個々の用紙Ｐの側端、すなわち、用紙搬送方向と平行する用紙束の面（側面）を規制する。側端規制部材２１４は、用紙束の両側面（左右側面）に対応して、２箇所に設けられている。すなわち、側端規制部材２１４のそれぞれは、用紙束を隔てた状態で、互いに対向するように配置されている。後端規制部材２１３の一方又は両方は、用紙搬送方向と直交する方向（用紙幅方向）に沿って移動可能に構成されており、用紙サイズに応じて、その位置が調整される。
【００５３】
給紙部２２０は、用紙載置台２１１（用紙Ｐ）の上方に、当該用紙載置台２１１と対向して配置されている。給紙部２２０は、用紙載置台２１１に載置された用紙束の最上位の用紙Ｐから、一定の距離だけ離間した状態で配置されている。給紙部２２０は、エアの吹き付けによって用紙束から浮上した用紙Ｐ（最上位の用紙Ｐ）を吸引して、搬送経路へと給紙する。給紙部２２０は、搬送部２２１と、吸引部２２６とを主体に構成されている。
【００５４】
搬送部２２１は、吸着された用紙Ｐを前方へと搬送（給紙）する機能を担っており、無端状の吸着ベルト２２１ａと、当該吸着ベルト２２１ａが掛け渡される駆動ローラー２２１ｂ及び従動ローラー２２１ｃとを備えている。吸着ベルト２２１ａは、駆動ローラー２２１ｂが回転駆動することにより回動し、用紙Ｐと対向するベルト領域（下側のベルト領域）が用紙搬送方向に移動する。吸着ベルト２２１ａには、それぞれ小径からなる複数の貫通孔（図示せず）が設けられている。
【００５５】
吸引部２２６は、浮上した用紙Ｐを吸引して吸着ベルト２２１ａに吸着する。吸引部２２６は、吸着ベルト２２１ａの内側に配置され、吸着ベルト２２１ａを隔てて用紙Ｐと対峙している。吸引部２２６は、エアを吸引する吸引ファンと、吸着ベルト２２１ａの内側に配置され、吸引ファンへとエアを導くダクトとを備えている。ダクトの下部には、吸着ベルト２２１ａと対向する吸引口が設けられている。吸引ファンが動作すると、吸着ベルト２２１ａの内側が負圧とされる。これにより、吸着ベルト２２１ａの下側からダクトへと向かうエアの流れが形成され、用紙Ｐが吸引される。
【００５６】
また、給紙部２２０には、吸着ベルト２２１ａへの用紙Ｐの吸着を検出する吸着センサー（図示せず）が設けられている。吸着センサーによって検出される情報は、制御部２５０によって読み込まれる。
【００５７】
先端送風部２３０は、用紙束の先端面かつ給紙部２２０の近傍に配置されている。先端送風部２３０は、用紙載置台２１１に載置された用紙束に対して用紙先端側から送風を行う。この送風により、最上位の用紙Ｐと２枚目以降の用紙Ｐとの間にエアが導入され、最上位の用紙Ｐと２枚目以降の用紙Ｐとを捌くことができる。
【００５８】
先端送風部２３０は、送風機２３１と、送風口２３２とを主体に構成されている。送風機２３１は、例えば多翼ファン（シロッコファン）である。送風口２３２は、送風機２３１から送風されたエアを、用紙束の上部に向けて吹き付ける。
【００５９】
図３は、側端送風部２４０の構成を模式的に示す図である。側端送風部２４０は、用紙束の左右側面に対応して、２箇所に配置されている。本実施形態において、側端送風部２４０は、側端規制部材２１４の内部に設けられている。一対の側端規制部材２１４と同様、一対の側端送風部２４０は、用紙束を隔てた状態で、互いに対向するように配置されている。個々の側端送風部２４０は、用紙束を中心に左右対称な構成とされている。
【００６０】
側端送風部２４０は、送風機２４１、ダクト２４２、吹き付け口２４３及び用紙押さえ部２４４を備えている。送風機２４１は、例えば多翼ファン（シロッコファン）であり、エアを送風する。ダクト２４２は、送風機２４１から送風されたエアを吹き付け口２４３に導く。ダクト２４２は、エアの流れが上下方向に沿うように構成されている。ダクト２４２の上部には、吹き付け口２４３が接続されている。吹き付け口２４３は、ダクト２４２内を流れたエアを用紙束の側面に向けて吹き付ける。吹き付け口２４３から用紙束の側面に吹き付けられるエアは、最上位の用紙Ｐを浮上させるためのエアとして機能する。用紙押さえ部２４４は、浮上する最上位の用紙Ｐに上方から当接することで、当該用紙Ｐの浮上高さを規制する。用紙押さえ部２４４は、吹き付け口２４３の上方に設けられており、用紙束の中央に向かって延出している。この用紙押さえ部２４４には、その高さを調整する可動機構２４５が接続されている。可動機構２４５の動作は、制御部２５０により制御される。
【００６１】
図４は、側端送風部２４０の詳細を示す説明図である。側端送風部２４０において、ダクト２４２は、上限位置から下限位置までの可動範囲の中で、上下方向に可動する。送風機２４１が停止しているとき、ダクト２４２は、図４（ａ）に示すように、自重により下限位置でとどまっている。一方、送風機２４１が動作しているときは、ダクト２４２は、図４（ｂ）に示すように、送風機２４１から送風されたエアの風圧によって上限位置まで上昇し、その位置にとどまり続ける。送風機２４１が停止すると、ダクト２４２は、図４（ａ）に示すように、自重により下限位置まで下降する。
【００６２】
本実施形態の特徴の一つとして、側端送風部２４０は、ロック機構２４６を備えている。ロック機構２４６は、ダクト２４２の可動を制限し、吹き付け口２４３の高さを調整する。ロック機構２４６としては、突当部材を用いる方法、又はソレノイドを用いる方法等が考えられる。突当部材は、ダクト２４２が下限位置にいるときに、ダクト２４２の上方へと進出可能に構成されている。突当部材が進出すると、送風機２４１が動作しても、ダクト２４２が突当部材に突き当たることで、ダクト２４２の上昇が規制される。一方、ソレノイドを用いる手法としては、ソレノイドのプランジャをダクト２４２と連結する。ソレノイドを引くと、送風機２４１が動作しても、ダクト２４２がプランジャに連結されているため、ダクト２４２の上昇が規制される。このように、ロック機構２４６を動作させることで、送風機２４１が動作しても、ダクト２４２は、下限位置に制限される（図４（ｃ））。ロック機構２４６の動作は、制御部２５０によって制御される。
【００６３】
このように、ダクト２４２に接続された吹き付け口２４３は、ダクト２４２の昇降に応じて、その高さが調整される。ダクト２４２が上限位置に位置する場合、すなわち、送風機２４１が動作して、エアの圧力を受けている場合、吹き付け口２４３は、予め設定された通常の吹き付け位置となる（図４（ｂ））。通常の吹き付け位置においては、吹き付け口２４３の下側領域のみが用紙束の側面と対向し、吹き付け口２４３の上側領域が最上位の用紙Ｐよりも上方へと突出した状態となる。一方、ダクト２４２が下限位置に位置する場合、すなわち、送風機２４１が停止している場合、若しくは、送風機２４１が動作していても、ロック機構２４６を動作させた場合、吹き付け口２４３は、通常の吹き付け位置よりも低い位置に設定される。この位置においては、吹き付け口２４３のほぼ全域が用紙束の側面と対向した状態となる。
【００６４】
吹き付け口２４３の高さを調整することで、用紙束の側面と対向する吹き付け口２４３の領域を調整することができる。用紙束の側面と対向する吹き付け口２４３の領域が狭い場合には、吹き付け口２４３から出力されるエアのうち、用紙束の側面に吹き付けられるエアの割合は減少する。一方、用紙束の側面と対向する吹き付け口２４３の領域が広い場合には、吹き付け口２４３から吹き付けられるエアのうち、用紙束の側面に吹き付けられるエアの割合は増加する。すなわち、吹き付け口２４３の高さを調整することで、用紙束の側面に吹き付けられるエアの割合を調整することができる。
【００６５】
制御部２５０は、大容量給紙装置２００の動作を制御する。制御部２５０としては、ＣＰＵ、ＲＯＭ、ＲＡＭ、Ｉ／Ｏインターフェースを主体に構成されたマイクロコンピュータを用いることができる。ＣＰＵは、各種プログラムを実行することにより、大容量給紙装置２００の動作を制御する（プロセッサー）。ＲＯＭは、ＣＰＵが実行する各種プログラムを、当該ＣＰＵが読み取り可能なプログラムコードの形態で格納する。また、ＲＯＭは、プログラムの実行に必要となるデータを記憶する。ＲＡＭは、作業用の記憶領域となるメモリである。ＲＯＭに格納されたプログラム及びデータは、ＣＰＵにより読み出されると、ＲＡＭ上に展開される。そして、ＣＰＵは、ＲＡＭ上に展開したプログラム及びデータに基づいて、各種の処理を行う。
【００６６】
本実施形態との関係において、制御部２５０は、用紙束から用紙Ｐ（最上位の用紙Ｐ）を給紙する給紙動作を実行する。具体的には、制御部２５０は、吸引部２２６を制御して、用紙載置台２１１に載置された用紙束から用紙Ｐ（最上位の用紙Ｐ）を吸引する（吸引制御）。この際、制御部２５０は、側端送風部２４０を制御して、用紙Ｐを浮上させるためのエアを吹き付ける（吹き付け制御）。つぎに、制御部２５０は、吸着センサーを通じて用紙Ｐの吸着を判定すると、吹き付け制御を終了する。そして、制御部２５０は、先端送風部２３０を制御し、用紙Ｐの先端側から送風を行うことで最上位の用紙Ｐと２枚目以降の用紙Ｐとを捌く（捌き制御）。同様に、制御部２５０は、搬送部２２１を制御して、用紙Ｐを前方の搬送経路へと給紙する（搬送制御）。用紙Ｐが搬送経路へと給紙されると、制御部２５０は、捌き制御及び搬送制御を終了する。この一連の給紙動作は、用紙Ｐが給紙される度に、新たな最上位の用紙Ｐに対して繰り返される。
【００６７】
本実施形態の特徴の一つである吹き付け制御の概略について説明する。以下の説明では、用紙束の右側面に対向する先端送風部２３０を右側の先端送風部２３０といい、その左側面に対向する先端送風部２３０を左側の先端送風部２３０という（先端送風部２３０を構成する要素についても同様に表現する）。
【００６８】
制御部２５０は、吹き付け制御を行うために、複数の動作モードを備えている。制御部２５０は、基本的に、通常動作モードで吹き付け制御を行う。
【００６９】
図５は、通常動作モードの説明図である。通常動作モードは、左側及び右側の側端送風部２４０をそれぞれ同一の条件で動作させるものである。具体的には、通常動作モードでは、左側の吹き付け口２４３の高さと、右側の吹き付け口２４３の高さとが、通常の吹き付け位置で揃った状態となる。また、左側の用紙押さえ部２４４の高さと、右側の用紙押さえ部２４４の高さが揃った状態となる。さらに、左側の吹き付け口２４３から吹き付けられるエアの風量と、右側の吹き付け口２４３から吹き付けられるエアの風量とが揃った状態となる。
【００７０】
一方、制御部２５０は、所定の切替条件を判断すると、通常動作モードから、用紙Ｐの片側を積極的に浮上させる浮上優先モードに切り替える。浮上優先モードは、後述する第１動作モード、第２動作モード及び第３動作モードのうち、いずれか１つの動作モード、或いは、２つ以上の動作モードを組み合わせて実現される。なお、以下の説明では、用紙Ｐの右側端を浮上させる形態を例に挙げて説明を行う。
【００７１】
図６は、第１動作モードの説明図である。第１動作モードは、右側の吹き付け口２４３の高さと、左側の吹き付け口２４３の高さとが異なるモードである。具体的には、左側の吹き付け口２４３の高さが通常の吹き付け位置に、右側の吹き付け口２４３の高さが、通常の吹き付け位置よりも低い位置に設定される。すなわち、右側の吹き付け口２４３の高さが、左側の吹き付け口２４３の高さよりも低い状態となる。
【００７２】
低い位置にある吹き付け口２４３においては、通常の吹き付け位置にある吹き付け口２４３よりも、用紙束の側面に吹き付けるエアの割合が増加する。このため、用紙束の右側面においては、用紙Ｐ同士の間に入り込むエアの量が増えるので、用紙Ｐの右側端が大きく浮上する。
【００７３】
用紙Ｐの右側端が大きく浮上すると、用紙Ｐの浮上した領域が給紙部２２０に近づくため、給紙部２２０の吸引によるアシストを受けることができる。このため、用紙Ｐの全体が浮上していない場合であっても、用紙Ｐの右側端から給紙部２２０に吸着させることができる。したがって、通常動作モードで両側から均等にエアを吹き付けた場合に浮上に時間を要する用紙Ｐであっても、浮上優先モード（第１動作モード）を適用して、用紙Ｐの片側のみを積極的に浮上させることで、浮上に要する時間を低減することができる。その結果、安定した給紙性を確保することができる。
【００７４】
図７は、第２動作モードの説明図である。第２動作モードは、右側の用紙押さえ部２４４の高さと左側の用紙押さえ部２４４の高さとが異なるモードである。具体的には、左側の用紙押さえ部２４４の高さが、右側の用紙押さえ部２４４の高さよりも低く設定される。
【００７５】
この場合、用紙Ｐの左側端では、用紙押さえ部２４４により用紙Ｐの浮上が規制される。一方で、用紙Ｐの右側端では、用紙押さえ部２４４に対して十分な距離があるので、用紙Ｐの浮上が許容される。この状態でエアの吹き付けが行われると、左側の用紙押さえ部２４４が支点となり、用紙Ｐの右側端が大きく浮上することとなる。
【００７６】
用紙Ｐの右側端が大きく浮上すると、用紙Ｐの浮上した領域が給紙部２２０に近づくため、給紙部２２０の吸引によるアシストを受けることができる。このため、用紙Ｐの全体が浮上していない場合であっても、用紙Ｐの右側端から給紙部２２０に吸着させることができる。したがって、通常動作モードで両側から均等にエアを吹き付けた場合に浮上に時間を要する用紙Ｐであっても、浮上優先モード（第２動作モード）を適用して、用紙Ｐの片側のみを積極的に浮上させることで、浮上に要する時間を低減することができる。その結果、安定した給紙性を確保することができる。
【００７７】
図８は、第３動作モードの説明図である。第３動作モードは、右側の吹き付け口２４３から吹き付けられるエアの風量と、左側の吹き付け口２４３から吹き付けられるエアの風量とが異なるモードである。具体的には、右側の吹き付け口２４３から吹き付けられるエアの風量を増加させる。この場合、右側にある吹き付け口２４３から用紙束の側面に吹き付けられるエアの割合が増加する。このため、用紙Ｐの右側端においては、用紙束の用紙間に入り込むエアの量が増えるので、浮上量が増加することとなる。
【００７８】
用紙Ｐの右側端が大きく浮上すると、用紙Ｐの浮上した領域が給紙部２２０に近づくため、給紙部２２０の吸引によるアシストを受けることができる。このため、用紙Ｐの全体が浮上していない場合であっても、用紙Ｐの右側端から給紙部２２０に吸着させることができる。したがって、通常動作モードで両側から均等にエアを吹き付けた場合に浮上に時間を要する用紙Ｐであっても、浮上優先モード（第３動作モード）を適用して、用紙Ｐの片側のみを積極的に浮上させることで、浮上に要する時間を低減することができる。その結果、安定した給紙性を確保することができる。
【００７９】
なお、第１動作モードと第３動作モードとを組み合わせる場合には、エアの風量が多い方の吹き付け口２４３の高さを、エアの風量が少ない方の吹き付け口２４３の高さよりも低くすることが好ましい。同様に、第２動作モードと第３動作モードとを組み合わせる場合には、エアの風量が少ない方の用紙押さえ部２４４の高さを、エアの風量が多い方の用紙押さえ部２４４よりも低くすることが好ましい。
【００８０】
通常動作モードと浮上優先モードとの切替は、用紙Ｐの情報及び用紙Ｐの浮上状態の一方又は両方に基づいて行われる。用紙Ｐの情報は、坪量及び用紙長である。坪量が大きい用紙Ｐ、又は、用紙長が大きい用紙Ｐにあっては、通常動作モードでエアを吹き付けても、浮上に時間を要することがある。そのため、制御部２５０は、用紙Ｐの情報にしたがって、動作モードの切替を判断することができる。これにより、浮上に要する時間を低減することができるので、安定した給紙性を確保することができる。また、制御部２５０は、実際の用紙Ｐの浮上状態を監視することで、浮上に時間を要する用紙Ｐに応じて、動作モードの切替を判断することができる。これにより、浮上に要する時間を低減することができるので、安定した給紙性を確保することができる。
【００８１】
以下、本実施形態に係る画像形成システムの動作、具体的には、大容量給紙装置２００における用紙Ｐの給紙処理について説明する。ここで、図９は、給紙処理の流れを示すフローチャートである。このフローチャートに示す処理は、給紙ジョブをトリガーとして、制御部２５０により実行される。
【００８２】
まず、ステップＳ１０において、制御部２５０は、動作モードの初期設定を行う。初期設定において、制御部２５０は、給紙対象の用紙Ｐの情報を読み込む。そして、制御部２５０は、動作モードと、用紙Ｐの情報（坪量及び用紙長）との関係を規定したテーブル（図１０参照）に基づいて、動作モードを決定する。
【００８３】
ステップＳ１１において、制御部２５０は、用紙束の最上位の用紙Ｐについて給紙動作を行う。具体的には、制御部２５０は、吸引制御、吹き付け制御、捌き制御及び搬送制御を行う。この場合、吹き付け制御は、ステップＳ１０で決定された動作モードで行われる。
【００８４】
ステップＳ１２において、制御部２５０は、給紙動作を開始してから、すなわち、用紙Ｐが浮上してから吸着センサーにより用紙Ｐが検出されるまでの時間、すなわち、浮上時間Ｔを算出する。
【００８５】
ステップＳ１３において、制御部２５０は、浮上時間Ｔが、第１閾値Ｔ１以上であるか否かを判断する。第１閾値Ｔ１は、正常な浮上時間よりも遅い浮上状態を判断するための閾値であり、実験やシミュレーションを通じて最適値が設定されている。浮上時間Ｔが第１閾値Ｔ１以上である場合には、ステップＳ１３において肯定判定され、ステップＳ１４に進む。一方、浮上時間Ｔが第１閾値Ｔ１よりも小さい場合には、ステップＳ１３において否定判定され、ステップＳ１５に進む。
【００８６】
ステップＳ１４において、制御部２５０は、動作モードを浮上優先モードに切り替える。なお、このステップＳ１４に先立ち、動作モードが浮上優先モードに既に切り替えられてる場合には、浮上優先モードを継続する。この場合、浮上優先モードのうち、未実施の動作モードがある場合には、その動作モードを追加してもよい。例えば、第１動作モードのみを実施している場合には、第２動作モード及び第３動作モードの一方又は双方を追加するといった如くである。
【００８７】
ステップＳ１５において、制御部２５０は、浮上時間Ｔが、第２閾値Ｔ２よりも小さいか否かを判断する。第２閾値Ｔ２は、正常な浮上時間よりも早い浮上状態を判断するための閾値であり、実験やシミュレーションを通じて最適値が設定されている。浮上時間Ｔが第２閾値Ｔ２よりも小さい場合には、ステップＳ１５において肯定判定され、ステップＳ１６に進む。一方、浮上時間Ｔが第２閾値Ｔ２以上の場合には、ステップＳ１５において否定判定され、ステップＳ１７に進む。
【００８８】
ステップＳ１６において、制御部２５０は、動作モードを通常動作モードに切り替える。なお、現在の浮上優先モードが、複数の動作モードで実施している場合には、通常動作モードに直ぐに切り替えるのではなく、動作モードを減少させて浮上優先モードを継続してもよい。例えば、第１動作モード、第２動作モード及び第３動作モードを組み合わせて浮上優先モードを実施している場合には、この中の動作モードの１つ又は２つを停止するといった如くである。
【００８９】
ステップＳ１７において、制御部２５０は、給紙ジョブが終了したか否かを判断する。給紙ジョブが終了した場合には、ステップＳ１７において肯定判定され、本ルーチンを終了する。一方、給紙ジョブが終了していない場合には、ステップＳ１７において否定判定され、ステップＳ１１に戻る。
【００９０】
このように本実施形態において、大容量給紙装置２００は、一方の吹き付け口２４３の高さと他方の吹き付け口２４３の高さとが異なる第１動作モード、用紙押さえ部２４４の高さが用紙束の一方の側面側と当該用紙束の他方の側面側とで異なる第２動作モード、及び、一方の吹き付け口２４３から吹き付けられるエアの風量と他方の吹き付け口２４３から吹き付けられるエアの風量とが異なる第３動作モードのいずれか１つ又は２つ以上を組み合わせて、用紙Ｐを浮上させるためのエアを吹き付ける吹き付け制御を行っている。
【００９１】
この構成によれば、用紙Ｐの片側を大きく浮上させることができる。このため、用紙Ｐの浮上した領域が給紙部２２０に近づくため、給紙部２２０の吸引によるアシストを受けることができる。このため、用紙Ｐの全体が浮上していない場合であっても、用紙Ｐの右側端から給紙部２２０に吸着させることができる。したがって、通常動作モードで両側から均等にエアを吹き付けた場合に浮上に時間を要する用紙Ｐであっても、浮上優先モードを適用して、用紙Ｐの片側のみを積極的に浮上させることで、浮上に要する時間を低減することができる。その結果、安定した給紙性を確保することができる。
【００９２】
なお、本実施形態では、用紙押さえ部２４４を、用紙束の両側面にそれぞれ配置している。しかしながら、図１１に示すように、用紙束の一方の側面から他方の側面に跨がるように配置した単一の用紙押さえ部２４４を用いてもよい。
【００９３】
また、本実施形態では、吹き付け口２４３の高さ調整と、用紙押さえ部２４４の高さ調整とを切り分けて行うため、用紙押さえ部２４４を可動する可動機構２４５を備える構成とした。しかしながら、用紙押さえ部２４４は、吹き付け口２４３から出力されるエアによって回動するように、当該吹き付け口２４３の上部に設け、ダクト２４２の昇降に応じて、その高さ調整するものであってもよい。
【００９４】
また、本実施形態では、送風機２４１のエアの風圧によってダクト２４２が可動する構成、及び、この可動をロック機構２４６で規制する構成により、吹き付け口２４３の高さを調整した。しかしながら、側端送風部２４０の全部又は一部を、電動式の昇降機構で可動するものであってもよい。また、本実施形態では、吹き付け口２４３の高さを、通常の吹き付け位置と、最も低い位置との２段階で調整している。しかしながら、吹き付け口２４３の高さを、通常の吹き付け位置と最も低い位置との間で多段的に又はリニアに調整するものであってもよい。
【００９５】
以上、本発明の実施形態にかかる画像形成システムについて説明したが、本発明は上述した実施形態に限定されることなく、その発明の範囲内において種々の変形が可能であることはいうまでもない。また、画像形成システムのみならず、画像形成システムを構成する給紙装置（大容量給紙装置）それ自体も本発明の一部として機能する。さらに、画像形成装置に内蔵される給紙ユニットに対して本発明を適用してもよく、この場合、当該画像形成装置も本発明の一部として機能することができる。
【００９６】
また、画像形成システムが画像形成装置と給紙装置とで構成される場合、画像形成装置及び給紙装置がそれぞれ制御機能を備える構成であってもよいし、それぞれの制御機能を統括した一つの制御機能を備える構成であってもよい。個別の制御機能であっても、単一の制御機能であっても、画像形成装置及び給紙装置を制御する制御部として機能する。
【符号の説明】
【００９７】
１００    画像形成装置
１０Ｙ，１０Ｍ，１０Ｃ，１０Ｋ    画像形成部
１１Ｙ，１１Ｍ，１１Ｃ，１１Ｋ    感光体ドラム
１５      中間転写ベルト
１６      ２次転写ローラー
２０      用紙搬送部
２１      用紙トレイ
２２      給紙ローラー
２３      排紙ローラー
２４      切替ゲート
４０      定着装置
５０      制御部
６０      操作パネル
２００    大容量給紙装置
２１０    給紙ユニット
２１１    用紙載置台
２１２    先端規制部材
２１３    後端規制部材
２１４    側端規制部材
２１５    ガイドレール
２２０    給紙部
２２１    搬送部
２２１ａ  吸着ベルト
２２１ｂ  駆動ローラー
２２１ｃ  従動ローラー
２２６    吸引部
２３０    先端送風部
２３１    送風機
２３２    送風口
２４０    側端送風部
２４１    送風機
２４２    ダクト
２４３    吹き付け口
２４４    用紙押さえ部
２４５    可動機構
２４６    ロック機構
２５０    制御部
【図１】
2020037474.tif 000003
【図２】
2020037474.tif 000004
【図３】
2020037474.tif 000005
【図４】
2020037474.tif 000006
【図５】
2020037474.tif 000007
【図６】
2020037474.tif 000008
【図７】
2020037474.tif 000009
【図８】
2020037474.tif 000010
【図９】
2020037474.tif 000011
【図１０】
2020037474.tif 000012
【図１１】
2020037474.tif 000013